(57)【要約】【課題】個々に織物製品のデザイン、レイアウト、彩色、スタイル及びサイズを同時に変えるために、こうして所謂リードタイムを減じるために、彩色のステップを裁断及び裁縫のステップに併合して、注文された工業織物の彩色のシステム及び方法を提供することにある。更に、彩色ステップを、柔軟性のあるデジタル彩色システムを用いることによって、裁断及び裁縫工程内に移すこと、又は裁断及び裁縫工程で行うこと、若しくは裁断及び裁縫工程により行うことを目的とする。【解決手段】クライアントシステムの制御の基に、カスタマイズされた工業上の織物商品を製造するためのシステムと方法であり、製造されるべきカスタマイズされた織物商品のデザインに関して情報が検索される。望むデザインは、１個以上のデータベースから選択される。付加的な個々のデータは自由に入力される。選択され入力されたデータは製造の要求として製造システムに送られる。そして、製造システムの制御の基に、要求が受信される。カスタマイズされた織物商品の製造のための指令が発せられ、未裁断未彩色の織物在庫材料が供給される。そして、未彩色の織物在庫材料は、要求にあったカスタマイズされた最終の織物商品を得るために、結合されたプロセス内で引き続いて彩色され、裁断され、裁縫される。ここで、未彩色の織物在庫材料の彩色は、デジタル彩色装置により為される。【選択図】図６
2008503812.tif 000002
【特許請求の範囲】
【請求項１】
クライアントシステムの制御の基に、
製造すべきカスタマイズされた織物商品のデザインに関して情報を検索する工程と、
１個のデータベースから所望のデザインデータを選択する工程と、
前記選択されたデザインデータを製造の要求として製造システムに送信する工程と、を有し、
前記製造システムの制御の基に、
カスタマイズされた織物商品の前記製造の要求を受信する工程と、
前記カスタマイズされた織物商品の製造の指令を発する工程と、
未裁断未彩色の織物在庫材料を供給する工程と、を有し、
引き続いて、前記要求により、完成したカスタマイズされた織物商品を得るために、結合したプロセス内で、（ａ）デジタル彩色装置を用いて彩色する工程、（ｂ）裁断する工程、（ｃ）前記未彩色の織物在庫材料を裁縫する工程、を順番に拘わらず順次実施することを特徴とするカスタマイズされた工業上の織物商品を製造する方法。
【請求項２】
クライアントシステムの制御の基に、
製造すべきカスタマイズされた織物商品のデザインに関して情報を検索する工程と、
１個又はそれ以上のデータベースから所望のデザインデータを選択する工程と、
前記選択されたデータを製造の要求として製造システムに送信する工程と、を有し、
前記製造システムの制御の基に、
前記要求を受信する工程と、
カスタマイズされた織物商品の製造の指令を発する工程と、
予め裁断され未彩色の織物在庫材料を供給する工程と、を有し、
前記要求により、完成したカスタマイズされた織物商品を得るために、デジタル彩色装置を用いて、前記予め裁断され未彩色の織物在庫材料を彩色し、裁縫する工程を有することを特徴とするカスタマイズされた工業上の織物商品を製造する方法。
【請求項３】
クライアントシステムの制御の基に、
製造すべきカスタマイズされた織物商品のデザインに関して情報を検索する工程と、
少なくとも１個のデータベースから所望するデザインデータを選択する工程と、
前記選択されたデータを製造の要求として製造システムに送信する工程と、を有し、
前記製造システムの制御の基に、
前記要求を受信する工程と、
カスタマイズされた織物商品の製造の指令を発する工程と、
予め裁断され予め裁縫された未彩色の在庫材料を供給する工程と、を有し、
前記要求により、完成したカスタマイズされた織物商品を得るために、デジタル彩色装置を用いて、前記予め裁断され予め裁縫された未彩色の在庫材料を彩色する工程を有することを特徴とするカスタマイズされた工業上の織物商品を製造する方法。
【請求項４】
クライアントシステムの制御の基に、
製造すべきカスタマイズされた織物商品のデザインに関して情報を検索する工程と、
少なくとも１個のデータベースから所望するデザインデータを選択する工程と、
前記選択されたデータを製造の要求として製造システムに送信する工程と、を有し、
前記製造システムの制御の基に、
前記要求を受信する工程と、
カスタマイズされた織物商品の製造の指令を発する工程と、
前記要求により、未裁断の又は予め裁断された未彩色の織物在庫材料のどちらを供給するか選択する工程と、
未裁断未彩色の織物在庫材料を供給することを選択した場合に、
該未裁断未彩色の織物在庫材料を供給する工程と、
引き続いて、前記要求により、完成したカスタマイズされた織物を得るために、結合したプロセス内で、前記未彩色の織物在庫材料を、彩色し、裁断し、裁縫する工程を有し、
予め裁断され未彩色の織物在庫材料を供給することを選択した場合に、
該予め裁断され未彩色の織物在庫材料を供給する工程と、
前記要求により、完成したカスタマイズされた織物を得るために、前記予め裁断され未彩色の織物在庫材料を彩色する工程を有し、
前記未彩色の織物在庫材料の彩色はデジタル彩色装置を用いることを特徴とするカスタマイズされた工業上の織物商品を製造する方法。
【請求項５】
購買者の身元確認に関する付加的な個別データを入力する工程を含むことを特徴とする請求項１〜４の何れか１項に記載のカスタマイズされた工業上の織物商品を製造する方法。
【請求項６】
製造すべきカスタマイズされた織物商品のサイズに関する付加的な個別データを入力する工程を含むことを特徴とする請求項１〜５の何れか１項に記載のカスタマイズされた工業上の織物商品を製造する方法。
【請求項７】
織物商品を着るために個人のボディサイズに関する付加的な個別データを入力する工程を含むことを特徴とする請求項１又は２に記載のカスタマイズされた工業上の織物商品を製造する方法。
【請求項８】
前記付加的な個別データは、手動で入力されることを特徴とする請求項７に記載のカスタマイズされた工業上の織物商品を製造する方法。
【請求項９】
前記付加的な個別データは、ボディスキャニング装置を用いて得られることを特徴とする請求項７に記載のカスタマイズされた工業上の織物商品を製造する方法。
【請求項１０】
少なくとも１個の前記データベースは、購買者が選択することができる、型、スタイル、織物の質、及び色彩に関するデータを含んでいることを特徴とする請求項１〜６の何れか１項に記載のカスタマイズされた工業上の織物商品を製造する方法。
【請求項１１】
前記要求に含まれる前記選択されたデザインデータを、個別のデザイン基準との適合性に関して確認する工程を含むことを特徴とする請求項１〜６の何れか１項に記載のカスタマイズされた工業上の織物商品を製造する方法。
【請求項１２】
前記未裁断未彩色の織物在庫材料は、織物を巻いたものから供給されることを特徴とする請求項１〜４の何れか１項に記載のカスタマイズされた工業上の織物商品を製造する方法。
【請求項１３】
織物商品のために、個人のボディサイズに最も近い標準サイズに関して、付加的な個別データを入力する工程を含むことを特徴とする請求項３又は４に記載のカスタマイズされた工業上の織物商品を製造する方法。
【請求項１４】
織物商品のために、個人のボディサイズに最も近い標準サイズに関して、付加的な個別データを、手動で入力する工程を含むことを特徴とする請求項３又は４に記載のカスタマイズされた工業上の織物商品を製造する方法。
【請求項１５】
織物商品のために、個人のボディサイズに最も近い標準サイズに関するデータを含む付加的な個別データを、前記ボディスキャニング装置を用いて入力する工程を含むことを特徴とする請求項３又は４に記載のカスタマイズされた工業上の織物商品を製造する方法。
【請求項１６】
前記未裁断の又は予め裁断された未彩色の織物在庫材料のどちらを供給するかを選択する工程は、前記要求に含まれる前記選択されたデザインデータを基礎にして決定されることと特徴とする請求項４に記載のカスタマイズされた工業上の織物商品を製造する方法。
【請求項１７】
付加的な個別データを入力する工程と、該付加的な個別データを前記製造システムに製造のための要求の一部として送信することを特徴とする請求項１〜１６の何れか１項に記載のカスタマイズされた工業上の織物商品を製造する方法。
【請求項１８】
少なくとも１個のデータベースからカスタマイズされた織物商品のデザインに関して情報を検索するための少なくとも１台の検索コンポーネントと、
前記検索された情報を表示するための少なくとも１個の表示コンポーネントと、
前記表示された情報から所望のデザインデータを選択するための少なくとも１台の入力コンポーネントと、
前記所望のデザインデータの選択の終了に応じて、要求を製造システムに送信する少なくとも１台のオーダリングコンポネントと、を含むことを特徴とするカスタマイズされた織物商品の注文のためのクライアントシステム。
【請求項１９】
前記入力コンポーネントは、付加的な個別データを入力するためのコンポーネントを含むことを特徴とする請求項１８に記載のカスタマイズされた織物商品の注文のためのクライアントシステム。
【請求項２０】
繰り返し選択されたデータを含む、カスタマイズされた織物商品の製造要求を受信する為の受信コンポーネントと、
前記受信した要求から、製造の指令を発するための生成コンポーネントと、
オーダ実行制御指示を発するためのオーダ実行コンポーネントと、
前記指示に応じて未彩色の在庫材料を供給するためのハンドリングコンポーネントと、
前記指示に応じて前記未彩色の在庫材料を彩色するためのデジタル彩色装置と、
前記ハンドリングコンポーネントと前記デジタル彩色装置により前記実行制御指示の実行を制御するための指示実行制御コンポーネントと、を有することを特徴とするカスタマイズされた織物商品を製造するための製造システム。
【請求項２１】
前記ハンドリングコンポーネントは、未裁断未彩色の織物在庫材料を供給することを特徴とする請求項２０に記載のカスタマイズされた織物商品を製造するための製造システム。
【請求項２２】
前記ハンドリングコンポーネントは、予め裁断され未彩色の織物在庫材料を供給し、裁断され彩色された織物片を裁縫するための裁縫操作を行うデジタル彩色装置と裁縫装置とを更に有し、前記デジタル彩色装置と前記裁縫操作は前記指示実行制御コンポーネントにより制御されることを特徴とする請求項２０に記載のカスタマイズされた織物商品を製造するための製造システム。
【請求項２３】
前記ハンドリングコンポーネントは、予め裁断され予め裁縫された未彩色の在庫材料を供給し、デジタル彩色装置を更に有し、前記デジタル彩色装置は、前記指示実行制御コンポーネントにより制御されることを特徴とする請求項２０に記載のカスタマイズされた織物商品を製造するための製造システム。
【請求項２４】
前記要求に基づいて未裁断又は予め裁断された未彩色の織物在庫材料のどちらかを選択し、前記選択に応じてオーダ実行制御指示を発するように前記オーダ実行コンポーネントを促すための選択コンポーネントと、
前記指示に応じて、未裁断又は予め裁断された未彩色の織物在庫材料を供給するためのハンドリングコンポーネントと、を更に有することを特徴とする請求項２０に記載のカスタマイズされた織物商品を製造するための製造システム。
【請求項２５】
請求項１８に記載のカスタマイズされた織物商品を注文するための少なくとも１つのクライアントシステムと、請求項２０に記載のカスタマイズされた織物商品を製造するための少なくとも１つの製造システムと、を有することを特徴とするカスタマイズされた工業上の織物商品を製造するための製造システム。
【請求項２６】
（１）少なくとも１つのクライアントシステムと、（２）カスタマイズされた織物商品のデザインデータを含む少なくとも１個のデータベースと、に接続されるサーバシステムを更に有し、前記クライアントシステムは、前記サーバシステムを介して表示される情報を検索することを特徴とする請求項２５に記載のカスタマイズされた工業上の織物商品を製造するための製造システム。
【請求項２７】
前記サーバシステムは、少なくとも１つの製造システムの対応する何れかの製造システムに更に接続され、前記クライアントシステムからの前記要求は、前記サーバシステムにより少なくとも１つの製造システムの対応する前記何れかの製造システムに送られることを特徴とする請求項２６に記載のカスタマイズされた工業上の織物商品を製造するための製造システム。
【請求項２８】
前記サーバシステムは、前記クライアントシステムのユーザにより異なるデータベースから選択されたデザインデータの適合性を認証する認証コンポーネントを更に有することを特徴とする請求項２６に記載のカスタマイズされた工業上の織物商品を製造するための製造システム。
【請求項２９】
前記サーバシステムは、複数の製造システムに接続され、前記選択されたデザインデータの適合性に照らして最適な製造システムを決定する決定コンポーネントを更に有し、前記クライアントシステムからの前記要求を前記最適な製造システムに送ることを特徴とする請求項２８に記載のカスタマイズされた工業上の織物商品を製造するための製造システム。
【請求項３０】
コンピュータ上で実行されたとき、請求項１〜１７の何れか１項に記載の製造方法を実行するように構成されプログラムコードを用いた、コンピュータが読み取り可能な媒体及び該コンピュータが読み取り可能な媒体に記録されたコンピュータプログラムを含むことを特徴とするコンピュータプログラム製品。
【請求項３１】
コンピュータ上で実行されたとき、請求項１〜１７の何れか１項に記載の製造方法が実行されるように構成されたことを特徴とするコンピュータ実行方法。
【請求項３２】
製造すべきカスタマイズされた織物商品のデザインに関して情報を検索する工程と、
少なくとも１個のデータベースから所望するデザインデータを選択する工程と、
前記選択したデザインデータを製造の要求として製造システムに送信する工程と、を有することを特徴とするカスタマイズされた工業上の織物商品を注文する方法。
【請求項３３】
付加的な個別データを入力する工程と、
前記付加的な個別データを前記製造システムに製造の供給の一部として送信する工程と、を更に有することを特徴とする請求項３２に記載のカスタマイズされた工業上の織物商品を注文する方法。
【請求項３４】
前記付加的な個別データは、購買者の確認に関するデータを含むことを特徴とする請求項３３に記載のカスタマイズされた工業上の織物商品を注文する方法。
【請求項３５】
前記付加的な個別データは、製造予定であり所望するカスタマイズされた織物商品のサイズに関してデータを含むことを特徴とする請求項３３に記載のカスタマイズされた工業上の織物商品を注文する方法。
【請求項３６】
前記付加的な個別データは、織物商品を着る個人のボディサイズに関するデータを含むことを特徴とする請求項３３に記載のカスタマイズされた工業上の織物商品を注文する方法。
【請求項３７】
前記付加的な個別データは、手動で入力されることを特徴とする請求項３６に記載のカスタマイズされた工業上の織物商品を注文する方法。
【請求項３８】
前記付加的な個別データは、ボディスキャニング装置を用いて得られることを特徴とする請求項３６に記載のカスタマイズされた工業上の織物商品を注文する方法。
【請求項３９】
少なくとも１個の前記データベースは、購買者が選択できる型、スタイル、織物の質、色彩に関するデータを含むことを特徴とする請求項３２〜３８の何れか１項に記載のカスタマイズされた工業上の織物商品を注文する方法。
【請求項４０】
個別のデザイン規準との適合性に関して、前記要求に含まれている前記選択されたデザインデータを認証する工程を更に有することを特徴とする請求項３２〜３９の何れか１項に記載のカスタマイズされた工業上の織物商品を注文する方法。
【請求項４１】
カスタマイズされた織物商品の製造の要求を受信する工程と、
前記カスタマイズされた織物商品の製造の指令を発する工程と、
未裁断未彩色の織物在庫材料を供給する工程と、を有し、
引き続いて、前記要求により、完成したカスタマイズされた織物商品を得るために、結合したプロセス内で、（ａ）デジタル彩色装置を用いて彩色する工程、（ｂ）裁断する工程、（ｃ）前記未彩色の織物在庫材料を裁縫する工程、を順番に拘わらず順次実施することを特徴とするカスタマイズされた工業上の織物商品を製造する方法。
【請求項４２】
前記未裁断未彩色の織物在庫材料は、織物を巻いたものから供給されることを特徴とする請求項４１に記載のカスタマイズされた工業上の織物商品を製造する方法。
【発明の詳細な説明】
【技術分野】
【０００１】
本発明は、彩色された織物の生産、特に、カスタマイズされ彩色された衣服、家庭及び事務所内の装飾用織物、そして工業織物の生産に関するものである。
【背景技術】
【０００２】
彩色された織物、特に印刷された織物、衣服、家庭及び事務所内の装飾品は、流行性の商品である。クラシックな流行品は、衣服商品である。家庭及び事務所内の装飾織物は、例えば、ブラインド、カーテン、サンブラインド、椅子その他の家具カバー、シーツと枕カバー、クッションカバー等である。消費者のライフスタイルの変化により、ファッション面は技術的な織物にさえ及ぶ。工業織物は、洗浄、家具、家庭織物と床カバー、市民エンジニアリング、医学と衛生学、保護布、スポーツとレジャーを含む。消費者のレジャータイムが増加しているので、多くがハイテクな材料で補強された専門家用スポーツ商品の需要がある。帆走すること、ウインドサーフィング、気球乗り、そしてパラシュートで降下することは、軽く耐久性のある繊維を主成分とする材料でなければ不可能である。
【０００３】
近年に亘り、流行の周期は短くなっている。短い周期で進む傾向は、大量注文と個別化である。この結果として、一注文当たりの生産ロットサイズは強烈に減少した。この１０年間で、一色彩当たり印刷された織物の平均長さは、１４００ｍから７００ｍと５０％減少した。
【０００４】
織物の供給チェーン、特に衣服商品については、複雑で、長く、非効率的である。私的なラベルや銘柄物は、繊維製作から最終製品の販売まで、約１年のリードタイムが掛かる。衣服商品のデザイン、スタイル及びサイズは、それらの品物が売り出される前の約１年間で決定されるが、この決定は需要と供給にミスマッチを生み出す。小売末端で、衣服商品のような織物商品の保管は、経済的な語では浪費であるが、前述の長いリードタイムの結果であり、長く、非効率的な供給チェーンによるものである。より短い流行周期の需要に合わせ、大量注文又は個別化を満たすためには、リードタイムを劇的に減少させねばならない。
【０００５】
今日、織物商品は、繊維、織糸又は織物で色彩が付けられている。印刷された織物商品は、取り分け労働コストが低い国で、織物に関するスクリーン印刷技術により主に印刷される。スクリーン印刷の早い印刷速度の利点は、デザイン変更に関する柔軟性の低さで帳消しにされる。スクリーンの彫刻、印刷機械のセットアップ、色彩の調合は時間を消費するものであり、小さなロットサイズが走っている場合には、高価であり経済的ではない。従って、スクリーン印刷は、小売商人及び銘柄所有者の要求を短い応答期間で満たすことはできない。更に、繊維、織糸、又は織物の染色工程での彩色は、時間を浪費するものであり、短時間の配達時間の要求に応えるものではない。
【０００６】
この面での進歩は、デジタル彩色技術を使用することにより成し遂げ得る。現代の織物彩色においては、織物デザインは、デジタルフォーマットが使用できる。それ故、このデジタル情報は、デザイン変更での柔軟性を増加し、また望むだけのクイックレスポンスを備えるデジタル技術に直接使用できる。
【０００７】
特許文献１では、材料から織物の模様部分を作る装置と方法について開示されている。各々の模様部分は、集合して着物等になる印刷されたデザインを有し、部分の境界を定義する線に関して、予め決められた方法で整えられたデザイン特色を有する織物デザインを持つ。コンピュータ制御された染料噴射プロセスによって織物に印刷された織物デザインは、所望する模様部分の輪郭内だけに印刷される。模様の付いたテンプレートは、裁断及び印刷マーカを付するために、組に並べられる。このマーカは、無地の未だ印刷されていない織物のシートに、所望する模様部分を印刷するプリンタを制御するために用いられる。適切に整列された織物デザインにより印刷された模様部分は、その後織物から裁断される。
【０００８】
【特許文献１】米国特許  ＵＳ  ６、１７３、２１１  Ｂ１
【発明の開示】
【発明が解決しようとする課題】
【０００９】
本発明の目的は、個々に織物製品のデザイン、レイアウト、彩色、スタイル及びサイズを同時に変えるために、こうして所謂リードタイムを減じるために、彩色のステップを裁断及び裁縫のステップに併合して、注文された工業織物の彩色のシステム及び方法を提供することにある。更に、彩色ステップを、柔軟性のあるデジタル彩色システムを用いることによって、裁断及び裁縫工程内に移すこと、又は裁断及び裁縫工程で行うこと、若しくは裁断及び裁縫工程により行うことを目的とする。
【課題を解決するための手段】
【００１０】
本発明の１つの目的は、カスタマイズされた工業織物商品を生産するための方法及びシステムを供給することである。そのシステムは、クライアントシステムと製造システムを包含するものである。生産されるべきカスタマイズされた織物商品のデザインに関する情報が検索され、所望のデザインデータが１個又はそれ以上のデータベースから選択される。そして、付加的な個々のデータがオプションで入力され、選択され入力されたデータは、製造システムに送られる。ここで、データは製造の要求として受け取られる。製造システムは、受け取ったデータを基礎にして、カスタマイズされた織物商品を製造するための指令を発する。
【００１１】
織物商品の製造は、未裁断で未彩色の在庫材料により、予め裁断した未彩色の在庫材料により、又は（予め裁断し裁縫した）未彩色の織物商品により、様々な仕方で可能である。本発明の実施可能な第一及び第二の実施の形態では、システムが立ち上がったついでに、未裁断の或いは予め裁断した未彩色の織物在庫材料の何れかを用意するか、選択又は決定される。これらの場合、織物は裁縫工程に続く次のステップで彩色される。本発明の実施可能な第三の実施の形態では、その後要求に応じて彩色されるべき未彩色の織物商品を裁断し裁縫するためにシステムが立ち上げられる。
【００１２】
未裁断、未彩色の織物在庫材料を供給する場合、供給された未彩色の織物在庫材料は彩色されて（即ち、印刷されているか染められて）おり、要求により完成した、カスタマイズされた織物商品を得るために、複合プロセスで裁断され裁縫される。予め裁断された未彩色の織物在庫材料が供給される場合、予め裁断され未彩色の織物在庫材料は、要求により完成した、カスタマイズされた織物商品を得るために、彩色され、裁縫される。そのために、未彩色の織物在庫材料の彩色は、両方の場合、デジタル彩色装置、例えばデジタル印刷装置によって成し遂げられる。裁断され裁縫された未彩色の織物商品を供給する場合、未彩色の織物商品はデジタル彩色装置によって彩色される。本出願の文脈における“印刷”という単語は、模様印刷に限定されず、織物の無地の彩色にも拡張される。最後に、製作された彩色された織物衣服が直接に、又は小売を介して、若しくは他の販売拠点を介して購買者に運送される。
【００１３】
このように、本発明は、リードタイムを減じて、工業上生産され、カスタマイズされた大量の織物商品用のデジタル彩色システムを供給する。これは、コンピュータ化されたネットワークに位置するユーザと結合した、最新のデジタル印刷技術を用いる統合生産システムにより為される。それは、未彩色の“彩色準備が整った”織物が供給され、彩色され裁縫されるサイトでカスタマイズされた織物商品の生産と結合しており、通常小売商人及び／又はクライアントのシステムより遠くに離れている。
【００１４】
本発明は、プログラムコードを有するコンピュータプログラム製品もカバーする。プログラムコードは、コンピュータプログラム製品に埋め込まれ、前述のようなプロセスを実行するのに好都合である。
【００１５】
本発明の更なる特徴と実施の形態は、付随する図面と記述によって明らかになる。
【００１６】
前述の特徴と以下で述べる特徴は、特定の組合せだけで使用されるのではなく、他の組合せ又はそれらだけで使用することができると理解される。ただし、本発明の範囲を逸脱しない範囲に限る。
【発明の効果】
【００１７】
流行に左右される商品の生産は、製品が顧客に届くまで時間とスピードに強く依存する。カスタマイズされた織物の場合、この点が非常に重要である。しかしながら、現存する織物供給チェーンは、複雑で長く非効率的である。特に、スクリーン印刷の場合はそうである。対照的に、本発明は、デジタル印刷と製造及び裁縫サイトでの彩色された織物の製造により、結合され統合されたシステムの高効率を実現している。これにより、ストック品や輸送コストを減じることが可能となる。未彩色の織物がサイトにストックされるだけで、それは結合されたプロセスで彩色され裁縫されるからである。それ故、要求された製品だけが出荷される。ストックコストは、小売商が大きなストックのために用意（そして支払い）をする必要がないので、特に減じられることとなる。長い間ストックされ、流行遅れとなることによる織物の浪費は減じられるし、同様に流行のサイクルの終期における値引きによる利益の損失も減じられる。リードタイムが長いために、正しいサイズや適合した彩色が利用できなくなったときに起こるロストセールスもカスタマイズされた彩色システムを適用することで減じられる。
【００１８】
本発明は、工業的に大量の織物商品を生産できるものである。そして、本発明のシステムが走るビジネスモデルの基礎となる。それは、ブランド所有者と小売商、裁断及び裁縫会社、デジタル印刷経営、デジタル印刷業者、要求された彩色、即ち印刷と染色のための化学とインクの製造業者に利益をもたらす。
【発明を実施するための最良の形態】
【００１９】
本発明は、模範的な実施の形態を用いて図面に模式的に示されている。以下、図面を参照しながら詳細に述べる。本発明の範囲は、以下の記載に限定されず、それは単に本発明の一実施の形態を示すものに過ぎない。
【００２０】
図１は、カスタマイズされた工業織物彩色のためのクライアントシステム５の第一の実施の形態を示す。クライアントシステム５は、コンピュータコードを走らせここで述べる様々な機能を果たすため、コンピュータ１０（中央演算処理装置ＣＰＵを含む）を含んでいる。そして、コンピュータ１０は、カスタマイズされた織物商品のデザインに関してデータと情報を含むデータベースＤＢにリンクしている。クライアントシステム５は、１個以上のデータベースにリンクしても良い。このリンクは、直接（例えば、データベースがコンピュータ１０に局所的に備えられている）でも良いし、間接（例えば、データベースがコンピュータ１０から遠く離れて備えられており、コンピュータ１０により通信プロトコル（例えば、ＴＣＰ／ＩＰ）を介してアクセスされる）でも良い。
【００２１】
更に、コンピュータ１０は、幾つかのモジュール又はコンポーネントを備える。特に、コンピュータ１０は、データベースＤＢから情報を検索するための検索コンポーネント１２と、データベースＤＢから検索されたデータと情報を表示するための表示コンポーネント１８を備える。コンピュータ１０は、また入力コンポーネント１６と、以下で詳しく述べる注文コンポーネント１４を含む。入力コンポーネントは、図１の例内、符号２０で表されているボディスキャナデバイスと結合している。勿論、コンピュータ１０は、図１には示されていない更なるコンポーネントを含んでも良い。
【００２２】
図２は、カスタマイズされた工業織物彩色システム１００の第一の実施の形態を示す。図２に示されているシステム１００は、２つのサブシステム、即ち製造システムＭとクライアントシステム５を含んでいる。２つのサブシステムは、互いに直接又は間接に連結されている。
【００２３】
クライアントシステム５は、図１に示されている構成でも良く、データベースＤＢにリンクしている。
【００２４】
製造システムは、クライアントシステム５からカスタマイズされた織物商品の製造の要求を受け取るために調整され設計されている。この要求に基づいて、要求された織物商品を製造する。そのような製造システムＭ１は、図３ａに示されている。そして、次のものを含む。顧客が選択したデータを含み、カスタマイズされた織物商品の製造要求を受け取る受信コンポーネント３０、製造の指令を発する生成コンポーネント４０、そして、オーダ実行制御指示を発するオーダ遂行コンポーネント５０である。
【００２５】
製造システムは、更に、前記指示に応答して、（ロールから）未彩色未裁断の織物在庫材料を供給するハンドリングコンポーネント７０と、前記指示に応答して前記未彩色の織物在庫材料を印刷するデジタル印刷装置９０を含んでいる。ハンドリングコンポーネント７０とデジタル印刷装置９０の両方は、指示実行制御コンポーネント６０により制御される。この指示実行制御コンポーネントは、オーダ遂行コンポーネント５０の遂行制御指示の実行を、前記ハンドリングコンポーネントと前記デジタル印刷装置によって制御する。矢印Ａ１、Ａ２、Ａ３、Ａ４、Ａ５は、織物の流れを示す。ハンドリングコンポーネント７０へ、またハンドリングコンポーネントからデジタル印刷装置９０への織物の流れは（Ａ１、Ａ２）、同様に、デジタル印刷装置９０から彩色された織物の流れが（Ａ３）である。矢印Ａ３はデジタル印刷装置から裁断操作８０へ行き、矢印Ａ４は裁断操作から裁縫操作９５へ行き、そして矢印Ａ５はクライアントまで連続している。
【００２６】
もし、ハンドリングコンポーネントが扱うことになっており、予め裁断された織物材料をデジタル印刷装置へ供給するならば、前述の製造システムは裁断操作なくても稼働することが理解される。勿論、デジタル印刷に関連する前述のまた以下の全てのステップは、デジタル染色装置によりデジタル染色によって成し遂げても良い。
【００２７】
製造システムの他の実施可能な形態を図３ｂに示す。図３ｂは、前述の図３ａの製造システムＭ１と同様な製造システムＭ２を示す。同じコンポーネント、装置には同じ符号を付している。図３ａの製造システムＭ１と比較すると、図３ｂの製造システムＭ２は、ハンドリングコンポーネント７０とデジタル印刷装置９０との間に裁断装置８０を有している。第二の実施の形態の製造システムＭ２は、未裁断未彩色の織物をハンドリングコンポーネント７０により供給し得る。未裁断未彩色の織物は、裁断装置８０により裁断される。裁断され未彩色の織物は、更にデジタル印刷装置９０を通り、ここで彩色又は印刷される（矢印Ａ１、Ａ２、Ａ６で示した）。彩色ステップ（Ａ４）に続いて、裁縫操作、例えば９５で適切な裁縫装置を用いることにより、織物商品の完成へと導く。ここで、材料の流れ（Ａ５）がクライアントへ続く。
【００２８】
製造システムは、ハンドリングコンポーネントが、選択コンポーネント４５により選択される選択内容に依存して、未裁断又は予め裁断された未彩色の織物を供給できるように変えることができる。ここで、選択コンポーネント４５は、この選択に応じてオーダ遂行コンポーネント５０がオーダ遂行制御指示を発するように促す（図７の製造システムＭ３参照）。図７の製造システムＭ３は、このように選択することができ、この選択に応じて、未裁断又は予め裁断された未彩色の織物を供給する。他の実施の形態（示してはいない）では、製造システムは、ハンドリングコンポーネントが、未裁縫で予め裁断された織物を供給すべきか、又は予め裁断され予め裁縫された織物を供給すべきかを選択コンポーネントが選択するように調整することができる。勿論、織物を供給する他の可能性のある組合せの全てが、本発明のシステムをセットアップするときに、当該分野の熟練者により考慮され得る。
【００２９】
カスタマイズされた織物彩色のためのシステム１００の操作において、彩色された衣服、家庭又は事務所用装飾織物のような１つの織物又は衣服を購入したいクライアント又はユーザは、製造されるべきカスタマイズされた織物のデザインに関する情報を最初に検索する。この情報は、検索コンポーネント１２によってデータベースＤＢから検索され、表示コンポーネント１８によりユーザに表示される。そのような情報は、本文でもグラフでも良い。また２次元又は３次元のモデル（例えばＣＡＤモデル）を含んでも良い。モデルを用いる場合の実施形態では、ユーザは任意にモデルに影響を及ぼす（回転する、気に入りの織物を付ける、及び／又は様々な明るさで表示する）ことができる。
【００３０】
ユーザは、キーボード、モニタ、マウス、トラックボール等の適切な入力デバイスを用いて、表示されたデータから適切なデータを選択できる。典型的に、織物に関するデータは、商品のスタイル、色、柄、サイズである。このように、購入者又はユーザは、データベースから合意するデータを選択し、入力することができる。
【００３１】
１つの実施可能な形態では、入力コンポーネント１６は、ボディスキャナデバイス２０とリンクしており、自動的に彼又は彼女の正確なボディサイズを決定することができ、その情報は直接にデジタルでシステムに供給される。代替的に、ユーザは（ボディサイズ、若しくは家庭又は事務所の装飾の場合は装飾対象物の）測定を、テープを用いる、システムに直接データを打ち込む、又は彼若しくは彼女がデータベースにより備えられた標準のサイズから適当なサイズを選ぶ等の古い様式の方法により行うことができる。入力コンポーネントは、本文でもグラフでも良く、ユーザに余白を埋めるべきフォームを供給するウエブサイトのインターフェースを含んでも良い。入力コンポーネントを介してユーザにより提出されたデータは、入力情報が注文コンポーネント１４及び／又は検索コンポーネント１２を通過する前に、コンピュータ１０内で局所的に処理されるか、若しくはサーバ（以下に詳しく述べられている）で遠隔的に処理される。入力コンポーネントを介して（又はここで述べられている他のコンポーネント間で）、情報を変換するための様々なプロトコル、例えば、ＨＴＴＰ、ＨＴＴＰＳ、ＦＴＰ等を用いることができる。
【００３２】
クライアントシステム５は、個別の私的な場所又は小売店、若しくは他の所謂販売地点（ＰＯＳ）内にセットアップされた家庭又は個人のコンピュータシステムを含み得る。
【００３３】
クライアントシステム５の注文コンポーネント１４は、ユーザによって選択されたデータに基づいて製造要求を生成する。この製造要求は、クライアントシステム５にリンクしている製造システムＭに送られる。製造システムＭは、上述のどの種類のものでも良い。例えば、図３ａ、３ｂ、４又は７の製造システムＭ１、Ｍ２、Ｍ３、Ｍ４や他の適合する種類のものであっても良い。（ここで述べられているシステムとコンポーネントとのリンクは、保証されていないリンク、保証されたリンク（例えば、バーチャルプライベートネットワーク（ＶＰＮ）技術を用いたもの）の何れか１つ若しくはそれらを結合したものでも良い。）
【００３４】
製造要求は、製造システムの受信コンポーネント３０で受信され、生成コンポーネント４０へ伝達される。生成コンポーネントは、要求の内容を解析し、要求された、カスタマイズされた織物を製造するための対応する指令を発する。受信コンポーネントは、リモートコンピュータから情報を受信するためのコミニュケーションアダプタを含んでも良い。又は、リモートコンピュータから情報を受信するための直接接続技術を含んでも良い。そのようなコミニュケーションアダプタは、有線であっても無線であっても良く、既知の又は将来のハードウエアプロトコル（例えば、イーサネット（登録商標）、トークンリング、ＡＴＭ、ＦＤＤＩ等）を含んでも良い。更に、アダプタで使用する通信プロトコルは、既知のプロトコル（例えば、ＴＣＰ／ＩＰ、ＵＤＰ／Ｉ等）であっても良く、ローカルエリアネットワーク（ＬＡＮ）又はワイドエリアネットワーク（ＷＡＮ）を超えるインターネットのような通信を含んでも良い。直接接続技術は、シリアル、ＵＳＢ、ファイヤワイヤ、その他の周辺コンポーネントプロトコルの何れか１つ若しくはそれらを結合したものを含んでも良い。
【００３５】
単に裁断され裁縫された織物を扱うように設計された製造システムの場合には、要求はハンドリングコンポーネント７０が利用できる標準のサイズのみを含む。それ故、生成コンポーネント４０は、最初にサイズ要求が合うかどうかをチェックし、発せられた指令をオーダ遂行コンポーネント５０に渡す。オーダ遂行コンポーネントは、制御コンポーネント６０に送られる遂行制御指示を発する。
【００３６】
単に未裁縫で未裁断の織物を扱うように設計された製造システムＭ１の場合には、オーダ遂行コンポーネント５０は裁断操作８０に対して、ユーザの要求に含まれるサイズ及びスタイル又は型情報に基づいて制御指示を発する。同様に、続く裁縫操作に対して制御指示を発する。
【００３７】
未裁断と予め裁断された織物の両方を扱うように設計された図７に示す製造システムＭ４の場合には、選択コンポーネント４５は、ユーザにより要請で備えられたデータが予め裁断された織物（例えば、標準サイズ）に合うかどうかチェックする。又は、データが裁断又は未裁断のどちらの材料を要求しているかをチェックし、裁断又は未裁断の材料を選択する。そして、オーダ遂行コンポーネント５０に、この選択に応じてオーダ遂行制御指示を発するように促す。
【００３８】
次のステップとして、制御コンポーネント６０は、ハンドリングコンポーネント７０による遂行指示の実行を制御する。そして、機会が与えられれば、裁断操作８０、デジタル印刷装置９０が制御され、ユーザの要求により、カスタマイズされた織物商品を完成させるために、結合したプロセス内で、未彩色の織物在庫材料が連続して裁断され、印刷され、裁縫される。裁縫工程は、デジタル印刷装置９０の前後に位置する裁縫装置（図示していない）により行われる。
【００３９】
図５は、カスタマイズされた工業織物の彩色システムの他の実施の形態である。図５に示すシステム２００は、前述したものと同様のクライアントシステム５を含む。図２に述べられている実施の形態のクライアントシステム５とは違い、第二の実施形態のシステム２００のクライアントシステム５は、１個又はそれ以上のデータベースには直接接続していない。中央のサーバＳに接続されており、サーバが１個又はそれ以上のデータベースＤＢ１、ＤＢ２、ＤＢ３に接続されている。（図５の実施の形態では、図示するために３個のデータベースに限定しているが、サーバＳには適当の数のデータベースが接続され得る。）更に、サーバは、１つかそれ以上の製造システムＭ’、Ｍ”に接続している。（図５の実施の形態では、図示するために２つの製造システムに限定しているが、サーバＳは適当な数の製造システムに接続し得る。）
【００４０】
操作上では、図５に示すシステム２００は、ユーザに様々な可能性を提供する。クライアントシステムを使用する者は、システムのクライアント側からの操作、即ち、１個又はそれ以上のデータベースから情報の検索、データを選択する習慣、選択された（或いは入力された）データに基づく製造の要求を生成することを同様にして、どんな差違をも実現する必要はない。
【００４１】
しかしながら、図５に示した第二の実施の形態では、データベース情報の検索は、中央サーバＳを経由して為される。そして、システムが様々な所有者（小売商、ブランド所有者、デザイナー等）によって所有され運転される様々なデータベースを使用することを許可する。カスタマイズされた織物商品の注文に必要な一組の完全な情報（それらは、スタイル、サイズ、色彩、型、着物又は織物タイプ等）を含むデータベースがあり得るし、例えば型、或いは色彩等の限定したデータのみを含む“限定した”データベースもあり得る。そのような限定したデータベースは、例えば、型又は色彩のデザインを他のデータベースからのスタイル、サイズ、及び着物又は織物タイプデータと結合することを提案しているデザイナーにより運転される。サーバＳは、どのデータベースに結合するか、どのデータベースには結合しないかを決め、ユーザに対して適合する仕方で様々なデータベースの内容を提供するように設計されセットアップされている。これは、例えば、ユーザに対して既に表示した他のデータベースの内容を、データベースから省略すること、又は表示したデータの結合の可能性に関してユーザに調和する指示を備えることにより為される。
【００４２】
更に、ユーザの選択に関して、中央サーバＳは、要求されているカスタマイズされた彩色織物を製造し、クライアントシステムからのユーザの要求を進めるために、どの製造システムが最適かを決定する。このことは、サーバＳは、非常に多くの小売クライアントシステムを製造システムに接続し、最良の申し出、最良の組合せ等を見つけることにより、入口としての役割を果たすことを意味している。同様に、中央サーバは、指令を多数の製造システムに分割する。それは、並列に製造システムを走らせること及び／又は負荷を均一化することで、スループットを増加させるためである。製造システムは、過去の経験に基づく予め決められた指令（例えば、過去の質又はタイムリーさに基づくもの）で選択されても良い。
【００４３】
その結果として、及び熟練した者に評価されて、本発明のシステムのセットアップに関して、図６に示すように全てのバリエーションが可能となる。ここで、図５に示したシステムと比較して、付加的なデータベースＤＢ４が直接にクライアントシステム５に接続されている。そして、付加的なデータベースＤＢ５は、サーバＳと第二の製造システムＭ”の両方に接続されている。クライアントシステム５に接続されているデータベースＤＢ４は、ＰＯＳクライアントシステムの所有者に所有され運転される。所有者は、自分の顧客に付加的なデータの選択を供給したいと考えている。製造システムＭ”に接続されているデータベースＤＢ５は、この製造システムの所有者に所有され運転される。所有者は、デザイン、スタイル、及び／又は型若しくは特別な織物質のような着物パラメータの収集又は範囲を供給し、サーバＳを介してこの範囲を提供する。製造システムで為される裁断及び裁縫操作は、用いている技術に依存して、手動で、半自動で、又は全自動で行い得るようにセットアップできる。
【００４４】
既に前述しているように、本発明は、カスタマイズされた工業上の織物の彩色（例えば、染色又は印刷）のためのシステムと方法を提供する。このシステムと方法は、カスタマイズされた織物を非常に短い遅れ（リードタイム）で、製造することができる。従来の織物製造では１０週間掛かっていたリードタイムを、１から３０日まで減ずることも可能である。
【００４５】
流行に左右される商品の生産は、製品が顧客に届くまで時間とスピードに強く依存する。カスタマイズされた織物の場合、この点が非常に重要である。しかしながら、現存する織物供給チェーンは、複雑で長く非効率的である。特に、スクリーン印刷の場合はそうである。対照的に、本発明は、デジタル印刷と製造及び裁縫サイトでの彩色された織物の製造により、結合され統合されたシステムの高効率を実現している。これにより、ストック品や輸送コストを減じることが可能となる。未彩色の織物がサイトにストックされるだけで、それは結合されたプロセスで彩色され裁縫されるからである。それ故、要求された製品だけが出荷される。ストックコストは、小売商が大きなストックのために用意（そして支払い）をする必要がないので、特に減じられることとなる。長い間ストックされ、流行遅れとなることによる織物の浪費は減じられるし、同様に流行のサイクルの終期における値引きによる利益の損失も減じられる。リードタイムが長いために、正しいサイズや適合した彩色が利用できなくなったときに起こるロストセールスもカスタマイズされた彩色システムを適用することで減じられる。
【００４６】
本発明は、工業的に大量の織物商品を生産できるものである。そして、本発明のシステムが走るビジネスモデルの基礎となる。それは、ブランド所有者と小売商、裁断及び裁縫会社、デジタル印刷経営、デジタル印刷業者、要求された彩色、即ち印刷と染色のための化学とインクの製造業者に利益をもたらす。
【００４７】
上述の機能をコンピュータで実行するに際し、それらの機能を実現するＣＰＵを制御するために、コンピュータコードが埋め込まれているコンピュータプログラム製品が用いられる。そのコンピュータプラグラム製品は、他のコンピュータプログラム、例えばオペレーティングシステム及び／又は他のビジネスツールサイト（例えば、マイクロソフトオフィス）と共に使用される。
【００４８】
コンピュータプログラム製品は、単一のプロセッサシステムでも、マルチプロセッサシステムでも使用される。
【図面の簡単な説明】
【００４９】
【図１】本発明のカスタマイズされた工業織物彩色のためのクライアントシステムの第一の実施の形態の概略図である。
【図２】本発明のカスタマイズされた工業織物彩色のためのシステムの第一の実施の形態の概略図である。
【図３ａ】本発明のカスタマイズされた工業織物彩色のための製造システムの第一の実施の形態の概略図である。
【図３ｂ】本発明のカスタマイズされた工業織物彩色のための製造システムの第二の実施の形態の概略図である。
【図４】本発明のカスタマイズされた工業織物彩色のための製造システムの第三の実施の形態の概略図である。
【図５】本発明のカスタマイズされた工業織物彩色のためのシステムの第二の実施の形態の概略図であり、クライアントシステムは、サーバシステムを介して２つの製造システムにリンクしている。
【図６】図５に示す、本発明のカスタマイズされた工業織物彩色のためのシステムのその他の実施の形態の概略図である。
【図７】本発明のカスタマイズされた工業織物彩色のための製造システムの第四の実施の形態の概略図である。
【符号の説明】
【００５０】
１０  コンピュータ
１２  検索コンポーネント
１４  注文コンポーネント
１６  入力コンポーネント
１８  表示コンポーネント
２０  ボディスキャナデバイス
３０  受信コンポーネント
４０  生成コンポーネント
４５  選択コンポーネント
５０  オーダ遂行コンポーネント
６０  指示実行制御コンポーネント
７０  ハンドリングコンポーネント
８０  裁断操作
９０  デジタル印刷装置
９５  裁縫操作
１００  工業織物彩色システム
２００  工業織物彩色システムの他の実施の形態
Ｃ  クライアント
Ｍ、Ｍ１、Ｍ２、Ｍ３、Ｍ４、Ｍ’、Ｍ”  製造システム
Ｓ  サーバ
ＤＢ、ＤＢ１、ＤＢ２、ＤＢ３  データベース
Ａ１、Ａ２、Ａ３、Ａ４、Ａ５、Ａ６  織物の流れ
【図１】
2008503812.tif 000003
【図２】
2008503812.tif 000004
【図３ａ】
2008503812.tif 000005
【図３ｂ】
2008503812.tif 000006
【図４】
2008503812.tif 000007
【図５】
2008503812.tif 000008
【図６】
2008503812.tif 000009
【図７】
2008503812.tif 000010
【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
クライアントシステムの制御の基に、
製造すべきカスタマイズされた織物商品のデザインに関して情報を検索する工程と、
１個のデータベースから所望のデザインデータを選択する工程と、
前記選択されたデザインデータを製造の要求として製造システムに送信する工程と、を有し、
前記製造システムの制御の基に、
カスタマイズされた織物商品の前記製造の要求を受信する工程と、
前記カスタマイズされた織物商品の製造の指令を発する工程と、
未裁断未彩色の織物在庫材料を供給する工程と、を有し、
引き続いて、前記要求により、完成したカスタマイズされた織物商品を得るために、結合したプロセス内で、（ａ）デジタル彩色装置を用いて彩色する工程、（ｂ）裁断する工程、（ｃ）前記未彩色の織物在庫材料を裁縫する工程、を順番に拘わらず順次実施することを特徴とするカスタマイズされた工業上の織物商品を製造するマスカスタマイゼーション方法。
【請求項２】
クライアントシステムの制御の基に、
製造すべきカスタマイズされた織物商品のデザインに関して情報を検索する工程と、
１個又はそれ以上のデータベースから所望のデザインデータを選択する工程と、
前記選択されたデータを製造の要求として製造システムに送信する工程と、を有し、
前記製造システムの制御の基に、
前記要求を受信する工程と、
カスタマイズされた織物商品の製造の指令を発する工程と、
予め裁断され未彩色の織物在庫材料を供給する工程と、を有し、
前記要求により、完成したカスタマイズされた織物商品を得るために、デジタル彩色装置を用いて、前記予め裁断され未彩色の織物在庫材料を彩色し、裁縫する工程を有することを特徴とするカスタマイズされた工業上の織物商品を製造するマスカスタマイゼーション方法。
【請求項３】
クライアントシステムの制御の基に、
製造すべきカスタマイズされた織物商品のデザインに関して情報を検索する工程と、
少なくとも１個のデータベースから所望するデザインデータを選択する工程と、
前記選択されたデータを製造の要求として製造システムに送信する工程と、を有し、
前記製造システムの制御の基に、
前記要求を受信する工程と、
カスタマイズされた織物商品の製造の指令を発する工程と、
予め裁断され予め裁縫された未彩色の在庫材料を供給する工程と、を有し、
前記要求により、完成したカスタマイズされた織物商品を得るために、デジタル彩色装置を用いて、前記予め裁断され予め裁縫された未彩色の在庫材料を彩色する工程を有することを特徴とするカスタマイズされた工業上の織物商品を製造するマスカスタマイゼーション方法。
【請求項４】
クライアントシステムの制御の基に、
製造すべきカスタマイズされた織物商品のデザインに関して情報を検索する工程と、
少なくとも１個のデータベースから所望するデザインデータを選択する工程と、
前記選択されたデータを製造の要求として製造システムに送信する工程と、を有し、
前記製造システムの制御の基に、
前記要求を受信する工程と、
カスタマイズされた織物商品の製造の指令を発する工程と、
前記要求により、未切断の又は予め切断された未彩色の織物在庫材料のどちらを供給するか選択する工程と、
未裁断未彩色の織物在庫材料を供給することを選択した場合に、
該未裁断未彩色の織物在庫材料を供給する工程と、
引き続いて、前記要求により、完成したカスタマイズされた織物を得るために、結合したプロセス内で、前記未彩色の織物在庫材料を、彩色し、裁断し、裁縫する工程を有し、
予め裁断され未彩色の織物在庫材料を供給することを選択した場合に、
該予め裁断され未彩色の織物在庫材料を供給する工程と、
前記要求により、完成したカスタマイズされた織物を得るために、前記予め裁断され未彩色の織物在庫材料を彩色する工程を有し、
前記未彩色の織物在庫材料の彩色はデジタル彩色装置を用いることを特徴とするカスタマイズされた工業上の織物商品を製造するマスカスタマイゼーション方法。
【請求項５】
購買者の身元確認に関する付加的な個別データを入力する工程を含むことを特徴とする請求項１〜４の何れか１項に記載のカスタマイズされた工業上の織物商品を製造するマスカスタマイゼーション方法。
【請求項６】
製造すべきカスタマイズされた織物商品のサイズに関する付加的な個別データを入力する工程を含むことを特徴とする請求項１〜５の何れか１項に記載のカスタマイズされた工業上の織物商品を製造するマスカスタマイゼーション方法。
【請求項７】
織物商品を着るために個人のボディサイズに関する付加的な個別データを入力する工程を含むことを特徴とする請求項１又は２に記載のカスタマイズされた工業上の織物商品を製造するマスカスタマイゼーション方法。
【請求項８】
前記付加的な個別データは、手動で入力されることを特徴とする請求項７に記載のカスタマイズされた工業上の織物商品を製造するマスカスタマイゼーション方法。
【請求項９】
前記付加的な個別データは、ボディスキャニング装置を用いて得られることを特徴とする請求項７に記載のカスタマイズされた工業上の織物商品を製造するマスカスタマイゼーション方法。
【請求項１０】
少なくとも１個の前記データベースは、購買者が選択することができる、型、スタイル、織物の質、及び色彩に関するデータを含んでいることを特徴とする請求項１〜６の何れか１項に記載のカスタマイズされた工業上の織物商品を製造するマスカスタマイゼーション方法。
【請求項１１】
前記要求に含まれる前記選択されたデザインデータを、個別のデザイン基準との適合性に関して確認する工程を含むことを特徴とする請求項１〜６の何れか１項に記載のカスタマイズされた工業上の織物商品を製造するマスカスタマイゼーション方法。
【請求項１２】
前記未裁断未彩色の織物在庫材料は、織物を巻いたものから供給されることを特徴とする請求項１〜４の何れか１項に記載のカスタマイズされた工業上の織物商品を製造するマスカスタマイゼーション方法。
【請求項１３】
織物商品のために、個人のボディサイズに最も近い標準サイズに関して、付加的な個別データを入力する工程を含むことを特徴とする請求項３又は４に記載のカスタマイズされた工業上の織物商品を製造するマスカスタマイゼーション方法。
【請求項１４】
織物商品のために、個人のボディサイズに最も近い標準サイズに関して、付加的な個別データを、手動で入力する工程を含むことを特徴とする請求項３又は４に記載のカスタマイズされた工業上の織物商品を製造するマスカスタマイゼーション方法。
【請求項１５】
織物商品のために、個人のボディサイズに最も近い標準サイズに関するデータを含む付加的な個別データを、前記ボディスキャニング装置を用いて入力する工程を含むことを特徴とする請求項３又は４に記載のカスタマイズされた工業上の織物商品を製造するマスカスタマイゼーション方法。
【請求項１６】
前記未切断の又は予め切断された未彩色の織物在庫材料のどちらを供給するかを選択する工程は、前記要求に含まれる前記選択されたデザインデータを基礎にして決定されることを特徴とする請求項４に記載のカスタマイズされた工業上の織物商品を製造するマスカスタマイゼーション方法。
【請求項１７】
付加的な個別データを入力する工程と、該付加的な個別データを前記製造システムに製造のための要求の一部として送信することを特徴とする請求項１〜１６の何れか１項に記載のカスタマイズされた工業上の織物商品を製造するマスカスタマイゼーション方法。
【請求項１８】
少なくとも１個のデータベースからカスタマイズされた織物商品のデザインに関して情報を検索するための少なくとも１台の検索コンポーネントと、
前記検索された情報を表示するための少なくとも１個の表示コンポーネントと、
前記表示された情報から所望のデザインデータを選択するための少なくとも１台の入力コンポーネントと、
前記所望のデザインデータの選択の終了に応じて、要求を製造システムに送信する少なくとも１台のオーダリングコンポネントと、を含むことを特徴とするカスタマイズされた織物商品の注文のためのクライアントマスカスタマイゼーションシステム。
【請求項１９】
前記入力コンポーネントは、付加的な個別データを入力するためのコンポーネントを含むことを特徴とする請求項１８に記載のカスタマイズされた織物商品の注文のためのクライアントマスカスタマイゼーションシステム。
【請求項２０】
繰り返し選択されたデータを含む、カスタマイズされた織物商品の製造要求を受信する為の受信コンポーネントと、
前記受信した要求から、製造の注文を生成するための生成コンポーネントと、
オーダ実行制御指示を発するためのオーダ実行コンポーネントと、
前記指示に応じて未彩色の在庫材料を供給するためのハンドリングコンポーネントと、
前記指示に応じて前記未彩色の在庫材料を彩色するためのデジタル彩色装置と、
前記ハンドリングコンポーネントと前記デジタル彩色装置により前記実行制御指示の実行を制御するための指示実行制御コンポーネントと、を有することを特徴とするカスタマイズされた織物商品をマスカスタマイゼーション製造するための製造システム。
【請求項２１】
前記ハンドリングコンポーネントは、未裁断未彩色の織物在庫材料を供給することを特徴とする請求項２０に記載のカスタマイズされた織物商品をマスカスタマイゼーション製造するための製造システム。
【請求項２２】
前記ハンドリングコンポーネントは、予め裁断され未彩色の織物在庫材料を供給し、裁断され彩色された織物片を裁縫するための裁縫操作を行うデジタル彩色装置と裁縫装置とを更に有し、前記デジタル彩色装置と前記裁縫操作は前記指示実行制御コンポーネントにより制御されることを特徴とする請求項２０に記載のカスタマイズされた織物商品をマスカスタマイゼーション製造するための製造システム。
【請求項２３】
前記ハンドリングコンポーネントは、予め裁断され予め裁縫された未彩色の在庫材料を供給し、デジタル彩色装置を更に有し、前記デジタル彩色装置は、前記指示実行制御コンポーネントにより制御されることを特徴とする請求項２０に記載のカスタマイズされた織物商品をマスカスタマイゼーション製造するための製造システム。
【請求項２４】
前記要求に基づいて未裁断又は予め裁断された未彩色の織物在庫材料のどちらかを選択し、前記選択に応じてオーダ実行制御指示を発するように前記オーダ実行コンポーネントを促すための選択コンポーネントと、
前記指示に応じて、未裁断又は予め裁断された未彩色の織物在庫材料を供給するためのハンドリングコンポーネントと、を更に有することを特徴とする請求項２０に記載のカスタマイズされた織物商品をマスカスタマイゼーション製造するための製造システム。
【請求項２５】
請求項１８に記載のカスタマイズされた織物商品を注文するための少なくとも１つのクライアントシステムと、請求項２０に記載のカスタマイズされた織物商品を製造するための少なくとも１つの製造システムと、を有することを特徴とするカスタマイズされた工業上の織物商品をマスカスタマイゼーション製造するための製造システム。
【請求項２６】
（１）少なくとも１つのクライアントシステムと、（２）カスタマイズされた織物商品のデザインデータを含む少なくとも１個のデータベースと、に接続されるサーバシステムを更に有し、前記クライアントシステムは、前記サーバシステムを介して表示される情報を検索することを特徴とする請求項２５に記載のカスタマイズされた工業上の織物商品をマスカスタマイゼーション製造するための製造システム。
【請求項２７】
前記サーバシステムは、少なくとも１つの製造システムの対応する何れかの製造システムに更に接続され、前記クライアントシステムからの前記要求は、前記サーバシステムにより少なくとも１つの製造システムの対応する前記何れかの製造システムに送られることを特徴とする請求項２６に記載のカスタマイズされた工業上の織物商品をマスカスタマイゼーション製造するための製造システム。
【請求項２８】
前記サーバシステムは、前記クライアントシステムのユーザにより異なるデータベースから選択されたデザインデータの適合性を認証する認証コンポーネントを更に有することを特徴とする請求項２６に記載のカスタマイズされた工業上の織物商品をマスカスタマイゼーション製造するための製造システム。
【請求項２９】
前記サーバシステムは、複数の製造システムに接続され、前記選択されたデザインデータの適合性に照らして最適な製造システムを決定する決定コンポーネントを更に有し、前記クライアントシステムからの前記要求を前記最適な製造システムに送ることを特徴とする請求項２８に記載のカスタマイズされた工業上の織物商品をマスカスタマイゼーション製造するための製造システム。
【請求項３０】
コンピュータ上で実行されたとき、請求項１〜１７の何れか１項に記載の製造方法を実行するように構成されプログラムコードを用いた、コンピュータが読み取り可能な媒体及び該コンピュータが読み取り可能な媒体に記録されたコンピュータプログラムを含むことを特徴とするコンピュータプログラム製品。
【請求項３１】
コンピュータ上で実行されたとき、請求項１〜１７の何れか１項に記載の製造方法が実行されるように構成されたことを特徴とするコンピュータ実行方法。
【請求項３２】
製造すべきカスタマイズされた織物商品のデザインに関して情報を検索する工程と、
少なくとも１個にデータベースから所望するデザインデータを選択する工程と、
前記選択したデザインデータを製造の要求として製造システムに送信する工程と、を有することを特徴とするカスタマイズされた工業上の織物商品を注文するマスカスタマイゼーション方法。
【請求項３３】
付加的な個別データを入力する工程と、
前記付加的な個別データを前記製造システムに製造の供給の一部として送信する工程と、を更に有することを特徴とする請求項３２に記載のカスタマイズされた工業上の織物商品を注文するマスカスタマイゼーション方法。
【請求項３４】
前記付加的な個別データは、購買者の確認に関するデータを含むことを特徴とする請求項３３に記載のカスタマイズされた工業上の織物商品を注文するマスカスタマイゼーション方法。
【請求項３５】
前記付加的な個別データは、製造予定であり所望するカスタマイズされた織物商品のサイズに関してデータを含むことを特徴とする請求項３３に記載のカスタマイズされた工業上の織物商品を注文するマスカスタマイゼーション方法。
【請求項３６】
前記付加的な個別データは、織物商品を着る個人のボディサイズに関するデータを含むことを特徴とする請求項３３に記載のカスタマイズされた工業上の織物商品を注文するマスカスタマイゼーション方法。
【請求項３７】
前記付加的な個別データは、手動で入力されることを特徴とする請求項３６に記載のカスタマイズされた工業上の織物商品を注文するマスカスタマイゼーション方法。
【請求項３８】
前記付加的な個別データは、ボディスキャニング装置を用いて得られることを特徴とする請求項３６に記載のカスタマイズされた工業上の織物商品を注文するマスカスタマイゼーション方法。
【請求項３９】
少なくとも１個の前記データベースは、購買者が選択できる型、スタイル、織物の質、色彩に関するデータを含むことを特徴とする請求項３２〜３８の何れか１項に記載のカスタマイズされた工業上の織物商品を注文するマスカスタマイゼーション方法。
【請求項４０】
個別のデザイン規準との適合性に関して、前記要求に含まれている前記選択されたデザインデータを認証する工程を更に有することを特徴とする請求項３２〜３９の何れか１項に記載のカスタマイズされた工業上の織物商品を注文するマスカスタマイゼーション方法。
【請求項４１】
カスタマイズされた織物商品の製造の要求を受信する工程と、
前記カスタマイズされた織物商品の製造の指令を発する工程と、
未裁断未彩色の織物在庫材料を供給する工程と、を有し、
引き続いて、前記要求により、完成したカスタマイズされた織物商品を得るために、結合したプロセス内で、（ａ）デジタル彩色装置を用いて彩色する工程、（ｂ）裁断する工程、（ｃ）前記未彩色の織物在庫材料を裁縫する工程、を順番に拘わらず順次実施することを特徴とするカスタマイズされた工業上の織物商品を製造するマスカスタマイゼーション方法。
【請求項４２】
前記未裁断未彩色の織物在庫材料は、織物を巻いたものから供給されることを特徴とする請求項４１に記載のカスタマイズされた工業上の織物商品を製造するマスカスタマイゼーション方法。
【請求項４３】
前記選択又は前記要求は、小売が要求するデザイン、又は流行が要求するデザインに応じたものであることを特徴とする請求項１〜１７の何れか１項又は請求項３２〜４２の何れか１項に記載のカスタマイズされた工業上の織物商品を製造するマスカスタマイゼーション方法。
【請求項４４】
前記カスタマイズされた織物商品は、製品ロットがランレングスのオーダサイズ内で製造されることを特徴とする請求項１〜１７の何れか１項又は請求項３２〜４２の何れか１項に記載のカスタマイズされた工業上の織物商品を製造するマスカスタマイゼーション方法。
【国際調査報告】
2008503812.tif 000011
2008503812.tif 000012
2008503812.tif 000013